(57)【要約】【課題】大きなサイズの傘を支持する場合にも、安定して支持することができるとともに、コンパクトに構成することができ、美観を損なうことがない椅子における傘の支持装置を提供する。【解決手段】椅子１における背凭れ５、６の後面上部に、背凭れ５、６の外側縁５ａ、６ａ近傍から後方に向けて突設され、かつ傘１３の把手部１４または吊り紐１５を掛吊り可能にした第１支持体７と、背凭れ５、６の後面下部に形成され、かつ傘１３の下部が上下方向に自由に貫通抱持されうる第２支持体１１とからなる傘の支持装置である。【選択図】    図１
2009067211.tif 000002
【特許請求の範囲】
【請求項１】
椅子における背凭れの後面上部に、背凭れの外側縁近傍から後方に向けて突設され、かつ傘の把手部または吊り紐を掛吊り可能にした第１支持体と、前記背凭れの後面下部に形成され、かつ傘の下部が上下方向に自由に貫通抱持されうる第２支持体とからなることを特徴とする椅子における傘の支持装置。
【請求項２】
第１支持体を、背凭れの後面上部から後方に向けて突出する遊端部が上方に向けて起立する形状となした請求項１記載の椅子における傘の支持装置。
【請求項３】
第２支持体を、背凭れの後面下部における、背凭れの外側縁近傍に設けた請求項１または２記載の椅子における傘の支持装置。
【請求項４】
第２支持体を、布状部材によって筒状に形成するとともに、背凭れの後面下部に取り付ける、同じく布状部材からなるポケットと共に、前記第２支持体を背凭れの後面に共締めした請求項１〜３のいずれかに記載の椅子における傘の支持装置。
【発明の詳細な説明】
【技術分野】
【０００１】
本発明は、例えば鉄道車両や航空機等の客室内に設置される椅子に適用され、雨天時の乗車の際に、傘を支持するための椅子に設けられた支持装置に関する。
【背景技術】
【０００２】
傘の支持装置としては、例えば車両用椅子などにおける二人掛け用座体の背凭れの後面中央に、濡れ防止板を介して、傘の中間部を支持するリング状の支持体を設けるとともに、傘における下部の石突を、背凭れの後面下部に設けた石突受けによって支持してなるものや（特許文献１参照）、背凭れの側面に、開閉式の傘の収容庫を設け、この収容庫内に、傘の上部を支持するリング状の支持体を設けたもの（特許文献２参照）が公知である。
【０００３】
しかし、前記の特許文献１、２記載の傘の支持装置は、傘における下部の石突の位置が、いずれも石突受けや収容庫の内底部によって規制されている。
このため、特許文献１では、特に、大きなサイズの傘を支持する場合、傘の上端部が、背凭れの上端から大きく浮き上がり、また特許文献２では、収容庫内に収容し切れずに外部に食み出して、背凭れから突出し、傘の支持が不安定になったり、着座者の頭に当たって、着座者の邪魔になる場合がある。
【０００４】
また、収容庫や濡れ防止板などの大きな部材を取り付けることによって、客室内の美観を損なうばかりでなく、転向可能な回転椅子では、転向操作の邪魔になる。
さらに、特許文献２のように、背凭れの側面に、傘の収容庫を設けたものでは、客の通行の邪魔になるという問題があった。
【特許文献１】特開２００７−１３７４０２号公報
【特許文献２】特開平８−１３２９７４号公報
【発明の開示】
【発明が解決しようとする課題】
【０００５】
本発明は、前記の現状に鑑み、大きなサイズの傘を支持する場合にも、安定して支持することができるとともに、コンパクトに構成することができ、美観を損なうことがない椅子における傘の支持装置を提供することを目的とする。
【課題を解決するための手段】
【０００６】
上記課題は「特許請求の範囲」の欄における各請求項に記載するように、次のような構成からなる発明によって解決される。
【０００７】
（１）  椅子における背凭れの後面上部に、背凭れの外側縁近傍から後方に向けて突設され、かつ傘の把手部または吊り紐を掛吊り可能にした第１支持体と、前記背凭れの後面下部に形成され、かつ傘の下部が上下方向に自由に貫通抱持されうる第２支持体とからなる。
【０００８】
（２）  上記（１）項において、第１支持体を、背凭れの後面上部から後方に向けて突出する遊端部が上方に向けて起立する形状となす。
【０００９】
（３）  上記（１）項または（２）項において、第２支持体を、背凭れの後面下部における、背凭れの外側縁近傍に設ける。
【００１０】
（４）  上記（１）〜（３）項のいずれかにおいて、第２支持体を、布状部材によって筒状に形成するとともに、背凭れの後面下部に取り付ける、同じく布状部材からなるポケットと共に、前記第２支持体を背凭れの後面に共締めする。
【発明の効果】
【００１１】
本発明によると、次のような効果が奏せられる。
請求項１記載の発明によると、椅子における背凭れの後面上部に、背凭れの外側縁近傍から後方に向けて突設された第１支持体によって、傘の把手部または吊り紐を掛吊り可能にするとともに、背凭れの後面下部に形成された第２支持体によって、傘の下部が上下方向に自由に貫通抱持されるようにしているため、大きなサイズの傘を支持する場合にも、安定して支持することができるとともに、傘の上端部が、背凭れの上端から浮き上がったり、着座者の頭に当たることがなく、さらに、コンパクトに構成することができるため、美観を損なうこともない。
【００１２】
請求項２記載の発明によると、第１支持体を、背凭れの後面上部から後方に向けて突出する遊端部が上方に向けて起立する形状となすようにしてあるため、傘の第１支持体からの脱落を防止することができるとともに、第１支持体を形成する部品を小さくすることができ、また、鞄掛け等、傘の支持以外にも、種々の小間物の支持に広く適用することができる。
【００１３】
請求項３記載の発明によると、第２支持体を、背凭れの後面下部における、背凭れの外側縁近傍に設けてあるため、第１支持体と共に、傘を背凭れの外側縁に沿って支持することができ、着座者の邪魔にならない。
【００１４】
請求項４記載の発明によると、第２支持体を、布状部材によって筒状に形成するとともに、この布状部材を、背凭れの後面下部に取り付けたポケットと共締めしてあるため、第２支持体の背凭れ後面への取付作業が容易であるとともに、第２支持体が布状部材で形成されているため、不使用時には、偏平にすることができ、着座者の邪魔にならない。
【発明を実施するための最良の形態】
【００１５】
以下、本発明を添附図面に基づいて詳細に説明する。
図１は、本発明の一実施形態における傘の支持装置を備えた椅子の背面図、図２は、同じく、側面図、図３は、第１支持体の拡大斜視図、図４は、第２支持体の拡大斜視図である。
なお、本実施形態においては、椅子として、車両用回転椅子を例にして説明する。
【００１６】
本発明の傘の支持装置は、図１および図２に示すように、客室Ａ内の床面Ｌ上に設置される回転椅子１に装備されている。
【００１７】
この回転椅子１は、客室Ａ内の床面Ｌ上に設置した脚台２上に、ロック機構を備えた回転装置３を介して、前方または後方を向くように回転可能に取り付けられた座体４を有する。
この座体４は、左右に連設して隣り合う各１人掛けの座部４ａ，４ｂからなるとともに、各座部４ａ，４ｂの背後には、起立状態からリクライニング状態に傾倒回動可能な背凭れ５，６が、それぞれ枢支されている。
【００１８】
回転椅子１における各背凭れ５、６の後面上部には、プラスチック、金属あるいは木材等からなる左右１対の第１支持体７、７が設けられている。
この第１支持体７は、図３に示すように、基部７ａの下端から後方に向けて突出する遊端部７ｂを上方に向けて起立させた略Ｕ字状の形状をなすとともに、基部７ａに設けた左右１対の取付孔８、８に、皿ねじ９、９を各背凭れ５、６の後面に向けて、それぞれ挿入することにより、各背凭れ５、６の後面上部にねじ止めされている。
【００１９】
一方、回転椅子１における各背凭れ５、６の後面下部には、網の目の袋状部材からなるポケット１０、１０がそれぞれ取り付けられている。
これら各ポケット１０、１０の外側端縁部１０ａ、１０ａの近傍には、各背凭れ５、６における外側縁５ａ、６ａ側の近傍に位置する第１支持体７にそれぞれ対応させた、第２支持体１１、１１が設けられている。
この第２支持体１１は、図４に示すように、筒状に折り込まれた布状部材１２の側端縁１２ａを、背凭れ５、６の後面下部に取り付けるポケット１０、１０の外側端縁部１０ａ、１０ａと共に、背凭れ５、６の後面下部に共締めしてある。
【００２０】
すなわち、本実施形態における傘の支持装置は、図１および図２に示すように、第１支持体７と第２支持体１１とによって構成されている。
第１支持体７の起立側遊端部７ｂには、傘１３の把手部１４または吊り紐１５が掛吊り可能になっているとともに、第２支持体１１における筒状の布状部材１２には、傘１３における石突１６側の下部が遊挿状態で挿入されて、上下方向に自由に貫通抱持されるようになっている。
これにより、大きなサイズの傘を支持する場合にも、傘１３の下部が上下方向に自由に貫通抱持されているため、傘１３を安定して支持することができ、しかも第１および第２支持体７、１１が小さな部品であるため、回転椅子１を転向操作する際の邪魔になることはない。
【００２１】
また、第２支持体１１によって、傘１３の下部が上下方向に自由に貫通抱持されているため、傘１３の上端部における把手部１４が背凭れ５、６の上端から浮き上がって突出し、美観を損なうこともない。
【００２２】
さらに、第１支持体７を略Ｕ字状の形状にして、上方に向けて起立する遊端部７ｂに、傘１３の把手部１４を係合させて掛止めしてあるため、傘１３が第１支持体７から脱落することがなく、安定して支持することができる。
【００２３】
また、第２支持体１１を、筒状の布状部材１２によって形成して、ポケット１０と共に、背凭れ５、６の後面下部に共締めしてあるため、第２支持体の背凭れ後面への取付作業が容易であるとともに、不使用時には、布状部材からなる第２支持体を偏平にすることができ、着座者の邪魔にならない。
【図面の簡単な説明】
【００２４】
【図１】本発明の一実施形態における傘の支持装置を備えた車両用回転椅子の背面図である。
【図２】同じく、側面図である。
【図３】第１支持体の拡大斜視図である。
【図４】第２支持体の拡大斜視図である。
【符号の説明】
【００２５】
１    回転椅子（椅子）
２    脚台
３    回転装置
４    座体
４ａ  座部
４ｂ  座部
５    背凭れ
５ａ  外側端縁
６    背凭れ
６ａ  内側端縁
７    第１支持体
７ａ  基部
７ｂ  遊端部
８    取付孔
９    皿ねじ
１０  ポケット
１１  第２支持体
１２  筒状の布状部材
１３  傘
１４  把手部
１５  吊り紐
１６  石突
Ａ    客室
Ｌ    床面
【図１】
2009067211.tif 000003
【図２】
2009067211.tif 000004
【図３】
2009067211.tif 000005
【図４】
2009067211.tif 000006